(57)【要約】【課題】商品に関連する広告などの情報を見る者の注意を惹くような意外性のある高い視覚効果で表示する情報表示システムを提供する。【解決手段】コンベア１１で移送されてくる皿１６を取って強化ガラス１５の上に置くと、皿１６に固着されたＩＣタグが、液晶パネル１４に取り付けられた複数個のタグリーダによって検知され、ＩＣタグに記憶されたタグ情報がタグリーダによってＰＣに読み込まれる。ＰＣは、内蔵ハードディスクに記憶されたデータベースを参照して、タグ情報に対応する動画データ番号の動画データを内蔵ハードディスクから読み出し、ビデオ回路を介して液晶パネル１４に出力する。マグロの動画３２が液晶パネル１４の画面１４ａに再生表示され、皿１６に載っていた寿司２４のネタ２４ａがマグロであったことやマグロの生態などが確認できる。【選択図】図６
2009086755.tif 000002
【特許請求の範囲】
【請求項１】
上面を覆う透明な天板を透して画面が観察されるようにテーブルに組み込まれたモニタと、
前記テーブル又はモニタに取り付けられ、前記天板の上に載置される物体に予め装着されたＲＦタグからタグ情報を読み取るタグリーダと、
前記タグ情報に対応して前記モニタの画面に表示すべき表示情報が登録されたデータベースと、
前記タグリーダが接続され、前記タグリーダが読み取ったタグ情報に対応する表示情報を前記データベースから読み出し、前記表示情報をモニタの画面に表示する制御部と
からなることを特徴とする情報表示システム。
【請求項２】
前記タグリーダは、前記タグ情報の他に、前記ＲＦタグの位置情報を読み取り、前記制御部は、前記ＲＦタグの位置情報に基づいて、前記表示情報のモニタ画面上の表示位置を変更することを特徴とする請求項１記載の情報表示システム。
【請求項３】
前記物体は、商品を載せる台であり、前記表示情報には、前記商品に対応する画像及び／又は前記商品に関連する広告が含まれることを特徴とする請求項１または２記載の情報表示システム。
【請求項４】
前記台は、前記商品としての寿司を載せる回転寿司用の皿であり、前記画像は、前記寿司のネタとされた水産動物の生きていた時の様子を表わす動画であることを特徴とする請求項３記載の情報表示システム。
【請求項５】
前記台は、前記商品としての食べ物を載せるトレイであり、前記表示情報は、前記トレイで隠れない位置に表示されることを特徴とする請求項３記載の情報表示システム。
【請求項６】
前記表示情報は、前記トレイの向きに応じて表示の向きが変更されることを特徴とする請求項５記載の情報表示システム。
【発明の詳細な説明】
【技術分野】
【０００１】
本発明は、情報表示システムに関し、更に詳しくは商品に関連する情報をモニタに表示する情報表示システムに関するものである。
【背景技術】
【０００２】
見る者の注意を惹くように何らかの視覚効果を伴わせて広告などの情報を表示する種々の提案がなされている。例えば、画像等をプリントしたフイルムを額縁状のフレームにセットし、フイルムをランプ等で背後から照明することにより、フイルムにプリントされた画像等を表示する表示装置が知られている（例えば特許文献１）。この表示装置では、フイルムとランプとの間に円盤状の偏向板を設け、これを回転することにより、前記フイルム上に設けられた偏向部材部分が明るくなったり暗くなったりして、あたかも動画のように表示される。
【０００３】
また、サーバーに予め記憶された広告依頼主のソースデータにより、広告時間帯等の予約データに従って適時、広告映像がマルチ画面に自動表示されるようにした広告表示システムが知られている（特許文献２）。なお、マルチ画面は、プラズマ等の平面ディスプレイパネルを複数枚使用したものである。
【特許文献１】特開平１１−２０２８０８号公報
【特許文献２】特開平０９−２４４６００号公報
【発明の開示】
【発明が解決しようとする課題】
【０００４】
上記特許文献１記載の表示装置では、画像等をプリントしたフイルムを用いるため、動画のように見せると云ってもわずかな動きを擬似的に表現できるに過ぎない。また、表示する画像を変更するには、フイルムをプリントし直さなければならず、大変面倒であるとともにコストもかかるという欠点がある。また、上記特許文献２記載の広告表示システムでは、広告依頼主の自主制作のソースデータがそのまま使用できるため、比較的安い費用で広告内用を簡易に更新できるという利点はあるものの、視覚効果については、マルチ画面というだけで、見る者の注意を惹くか否かは疑問が残る。
【０００５】
本発明は、上記のような問題点を解決するためになされたもので、商品に関連する広告などの情報を見る者の注意を惹くような意外性のある高い視覚効果で表示する情報表示システムを提供することを目的とする。
【課題を解決するための手段】
【０００６】
本発明の情報表示システムは、上面を覆う透明な天板を透して画面が観察されるようにテーブルに組み込まれたモニタと、前記テーブル又はモニタに取り付けられ、前記天板の上に載置される物体に予め装着されたＲＦタグからタグ情報を読み取るタグリーダと、前記タグ情報に対応して前記モニタの画面に表示すべき表示情報が登録されたデータベースと、前記タグリーダが接続され、前記タグリーダが読み取ったタグ情報に対応する表示情報を前記データベースから読み出し、前記表示情報をモニタの画面に表示する制御部とからなることを特徴とする。なお、ＲＦタグは、無線により各種の認証を行うＲＦＩＤ（Radio Frequency IDentification）システムの構成要素として広く普及しつつあり、無線タグやＩＣタグや電子荷札などとも呼ばれる。
【０００７】
前記タグリーダは、前記タグ情報の他に、前記ＲＦタグの位置情報を読み取り、前記制御部は、前記ＲＦタグの位置情報に基づいて、前記表示情報のモニタ画面上の表示位置を変更することを特徴とする。また、前記物体は、商品を載せる台であり、前記表示情報には、前記商品に対応する画像及び／又は前記商品に関連する広告が含まれることを特徴とする。
【０００８】
前記台は、前記商品としての寿司を載せる回転寿司用の皿であり、前記画像は、前記寿司のネタとされた水産動物の生きていた時の様子を表わす動画であることを特徴とする。また、前記台は、前記商品としての食べ物を載せるトレイであり、前記表示情報は、前記トレイで隠れない位置に表示されることを特徴とする。また、前記表示情報は、前記トレイの向きに応じて表示の向きが変更されることを特徴とする。
【発明の効果】
【０００９】
本発明の情報表示システムによれば、透明な天板の上にＲＦタグ付きの物体を載置すると、テーブル又はモニタに取り付けられたタグリーダがＲＦタグからタグ情報を読み取り、タグ情報に対応する表示情報をデータベースから読み出してモニタの画面に表示するので、テーブルに仕掛けられたモニタ画面に突然に表示情報が表示されるという意外性のある高い視覚効果で見る者の注意を惹くことができる。
【００１０】
タグリーダがＲＦタグの位置情報を読み取るので、この位置情報に応じて表示情報のモニタ画面上の表示位置を変更することができる。これにより、例えば天板の上に置かれた物体に隠れない位置に表示情報を表示することができる。また、表示情報を表示しながら表示情報のモニタ画面上の表示位置を移動することもできるから、例えば表示情報がＲＦタグに向かって移動するような動きをつけることも可能である。
【００１１】
商品を載せた台を天板の上に載置すると、商品に対応する画像や商品に関連する広告などがテーブルのモニタ画面に表示されるので、意外性のある高い視覚効果で見る者の注意を惹くことができ、表示情報が広告の場合、広告の訴求力をより効果的に高めることができる。
【００１２】
回転寿司用の皿をテーブルの上に載置すると、寿司のネタとされた水産動物の生きていた時の様子を表わす動画が表示されるから、ネタが元はどんな水産動物であったかが分かる。特に、回転寿司のお客がこどもの場合、動画見たさに皿を次から次に取ってテーブル上に載せるので、寿司の売り上げに貢献できる。
【００１３】
また、トレイをテーブルの上に載置すると、トレイで隠れない位置に情報が表示されるので、情報を確実に見せることができる。特に、情報が広告の場合、広告としての効果を担保できる。また、トレイの向きに応じて情報の表示の向きが変更されるから、トレイの向きを変更してもトレイによって情報が隠れるようなことがなく、確実に情報を見せることができる。
【発明を実施するための最良の形態】
【００１４】
本発明の第１実施形態の外観を示す図１において、情報表示システム１０は、回転寿司のコンベア１１（図６参照）の脇に設置されるテーブル１２と、このテーブル１２の上部に取り付けられた大型の液晶パネル１４と、この上に取り付けられ、液晶パネル１４の画面１４ａを保護する透明な強化ガラス１５と、液晶パネル１４の背面にマトリクス状に取り付けられ、回転寿司用の皿１６の裏面中央部に固着されたＩＣタグ１８（図２参照）に記憶されているタグ情報を読み取る複数個のタグリーダ２０（図３参照）と、このタグリーダ２０が読み取ったタグ情報に応じた表示情報を液晶パネル１４の画面１４ａに表示するパーソナルコンピュータ（以下ＰＣという）２２とからなる。
【００１５】
なお、ＩＣタグは、無線により各種の認証を行うＲＦＩＤ（Radio Frequency IDentification）システムの構成要素として広く普及しつつあり、無線タグやＲＦタグや電子荷札などとも呼ばれる。ＩＣタグ１８のサイズは、数ｍｍ四方程度の大きさで、且つ厚みもコンマ数ｍｍ程度であるため、図２に示すように、皿１６の高台１６ａの底部に取り付けても高台１６ａから突出することがなく問題はない。
【００１６】
前記ＩＣタグ１８には、皿１６の上に載せられる寿司２４のネタ２４ａの名前を示すネタ名の番号（以下ネタ名番号という）がタグ情報として予め記憶されている。したがって、本実施形態では、寿司のネタごとに異なる種類（柄や形が異なる）の皿を用意している。
【００１７】
図３に示すように、ＰＣ２２の内蔵ハードディスク２５には、データベース２６が記憶されている。このデータベース２６には、図４に示すように、例えばアナゴ，あわび，イカ，マグロ，トロ，いくら，・・・などの各ネタ名に対して、それぞれネタ名番号Ｎ００１，Ｎ００２，Ｎ００３，・・・が登録されている。そして、ネタ名番号Ｎ００１，Ｎ００２，Ｎ００３，・・・に対応する動画データの動画データ番号Ａ００１，Ａ００２，・・・が登録されている。動画データ番号Ａ００１，Ａ００２，・・・の各動画データは、各ネタ名に対応した水産動物の実写による動画データまたは水産動物のアニメーションによる動画データであり、これらの動画データは内蔵ハードディスク２５に記憶されている。
【００１８】
このように構成された情報表示システム１０の作用について図５のフローチャートに従って説明する。図６に示すように、お客３０がテーブル１２の前に座り、コンベア１１で移送されてくる皿１６を取って強化ガラス１５の上に置く。すると、皿１６の裏面中央部に固着されたＩＣタグ１８が液晶パネル１４の背面にマトリクス状に取り付けられた複数個のタグリーダ２０によって検知され（ｓｔ１）、ＩＣタグ１８に記憶されているタグ情報がタグリーダ２０によってＰＣ２２に読み込まれる（ｓｔ２）。
【００１９】
ＰＣ２２に読み込まれたタグ情報が、例えばネタ名番号Ｎ０１４（ネタ名＝マグロ）である場合、ＰＣ２２は、内蔵ハードディスク２５に記憶されているデータベース１６を参照して（ｓｔ３）、ネタ名番号Ｎ０１４に対応する動画データ番号Ｄ０１４の動画データを内蔵ハードディスク２５から読み出し、ビデオ回路（図示せず）を介して液晶パネル１４に出力する。これにより、マグロの動画３２が液晶パネル１４の画面１４ａに再生表示され（ｓｔ４）、皿１６に載っていた寿司２４のネタ２４ａがマグロであったことやマグロの生態などが確認できる。
【００２０】
なお、動画３２は画面１４ａの全領域に表示されるようにしてもよいし、また画面１４ａの一部の領域に表示されるようにしてもよい。
【００２１】
動画３２の表示を開始してから、所定時間、例えば５分経過したら（ｓｔ５）、動画３２の表示を停止する。また、５分経過する前に、新たに別の皿３４を取って強化ガラス１５の上に置いた場合には、この皿３４のＩＣタグ１８がタグリーダ２０によって検知され（ｓｔ６）、マグロの動画３２から新たなタグ情報に対応する別の動画に切り替わり、液晶パネル１４の画面１４ａに再生表示される（ｓｔ４）。
【００２２】
なお、一旦強化ガラス１５の上に置いたマグロの皿１６を強化ガラス１５の上から離して、再び強化ガラス１５の上に置いた場合、再びマグロの動画３２が液晶パネル１４の画面１４ａに再生表示される。
【００２３】
また、ＩＣタグ１８の位置（液晶パネル１４の画面１４ａ上の座標）を検知することにより、液晶パネル１４の画面１４ａにおける動画の再生位置を変更することも可能である。この場合、動画３２が画面１４ａの一部の領域に表示され、かつこの領域を移動することにより、例えば、マグロの動画３２が強化ガラス１５上の皿１６に向かって泳いでくるように表示することもできる。
【００２４】
また、動画３２の他に寿司２４の値段が液晶パネル１４の画面１４ａに表示されるようにしてもよい。この場合、データベース２６に値段の欄と皿のサイズ欄とを設けておく。ＰＣ２２は、タグリーダ２０によって検知されたＩＣタグ１８の位置情報により、皿１６の近くでかつ皿１６に隠れない位置に寿司２４の値段を表示する。
【００２５】
次に、本発明の第２実施形態を示す図７において、ハンバーガーショップに置かれているテーブル４０は、第１実施形態と同様の構造を有しているが、強化ガラス４２の上に載置されるものが、トレイ４４であることが第１実施形態と異なる。矩形状をしたトレイ４４の裏面には、相対する角部に一対のＩＣタグ４６が固着されている。また、第１実施形態と同様に、液晶パネル４８の裏面には、複数個のタグリーダがマトリクス状に取り付けられている。
【００２６】
タグリーダが一対のＩＣタグ４６を検知すると、液晶パネル４８に接続されたＰＣ５０は、一対のＩＣタグ４６の位置からトレイ４４の置かれた位置，トレイ４４のサイズ及び角度（例えばテーブル４０の長手方向に対する角度）を判別する。また、ＩＣタグ４６のタグ情報から、トレイ４４の上に載せられているハンバーガー５２やサラダ５３などの種類を判別する。
【００２７】
ＰＣ５０は、内蔵ハードディスクに記憶されているデータベースを参照して、ハンバーガー５２やサラダ５３などの種類から推測されるお客５５の嗜好に対応した広告データを読み出し、トレイ４４の置かれた位置，トレイ４４のサイズ及び角度から、トレイ４４に隠れず、かつトレイ４４に近接したトレイ４４の手前と奥の各領域に広告５７，５８を表示する。この広告５７，５８の内容は任意であるが、文章の他、イラストなどの画像が用いられる。
【００２８】
また、広告５７，５８とは別に、トレイ４４に隠れない位置に各種の情報や見て楽しい写真やイラスト等の画像５９を表示するようにしてもよい。画像５９の表示領域の形状は、お客５５から見てほぼ正常な矩形状となるように、手前側の辺よりも奥の辺が長い台形状に変形されている。この変形度合は、画像５９を表示する位置やサイズに応じて決められる。また、画像５９を表示しながら、その表示位置を移動させることもできる。これにより、例えば画像５９が液晶パネル４８の画面４８ａの右端から左端まで移動しながら表示されるようにしてもよい。
【００２９】
以上説明した実施形態は、本発明を回転寿司店やハンバーガーショップに設置されるテーブルに適用したものであったが、本発明はこれに限定されることなく、例えば喫茶店や食堂などのテーブルにも適用できる。
【図面の簡単な説明】
【００３０】
【図１】本発明の第１実施形態の外観を示す斜視図である。
【図２】皿の裏面側を示す斜視図である。
【図３】第１実施形態の電気的な構成を示すブロック図である。
【図４】データベースの一例を示す説明図である。
【図５】第１実施形態の主なシーケンスを示すフローチャートである。
【図６】第１実施形態のテーブルを上方から示す説明図である。
【図７】第２実施形態のテーブルを上方から示す説明図である。
【符号の説明】
【００３１】
１０  情報表示システム
１２，４０  テーブル
１４，４８  液晶パネル
１４ａ，４８ａ  画面
１５，４２  強化ガラス
１６，３４  皿
１８，４６  ＩＣタグ
２０  タグリーダ
２２  ＰＣ
２４  寿司
２４ａ  ネタ
２６  データベース
３２  動画
４４  トレイ
５７，５８  広告
５９  画像
【図１】
2009086755.tif 000003
【図２】
2009086755.tif 000004
【図３】
2009086755.tif 000005
【図４】
2009086755.tif 000006
【図５】
2009086755.tif 000007
【図６】
2009086755.tif 000008
【図７】
2009086755.tif 000009